(57)【特許請求の範囲】
【請求項１】
魚釣りに用いる釣竿であって、
竿体と、
前記竿体周面に挿通された略筒状の弾性グリップと、
前記弾性グリップの穂先側または竿元側に隣接して軸方向に移動自在かつ任意の箇所に固定可能に前記竿体周面上に挿通された可動部材と、
前記可動部材と軸方向反対側において前記弾性グリップに隣接して前記竿体周面に固定されたカラー部材とを備え、
前記弾性グリップは複数であって互いに隣接して前記竿体周面に挿通されており、
一つの弾性グリップとこれに隣接する他の弾性グリップとの間には軸方向に移動自在に前記竿体周面に挿通されたリング部材をさらに備え、
前記弾性グリップは、前記可動部材を前記カラー部材側に移動させ、前記可動部材と前記カラー部材とで軸方向に挟み込まれることで変形するものである
ことを特徴とする釣竿。
【請求項２】
前記竿体は前記弾性グリップの穂先側または竿元側周面に雄ねじ部を有し、
前記可動部材は内周面に前記雄ねじ部に螺合する雌ねじ部を有するナット部材である、請求項１に記載の釣竿。
【発明の詳細な説明】
【０００１】
【発明の属する技術分野】
本発明は、魚釣りに用いる釣竿に関する。
【０００２】
【従来の技術】
従来の釣竿は、竿体と、竿体の竿元側に配置されリールを装着するためのリールシートと、リールシートの竿元側や穂先側の竿体周面に固定されたグリップとを有している。このグリップは、例えば、ポリウレタンやEVA等の弾性合成樹脂やコルク材等からなる略円筒型部材であって、竿体の所定の周面上に接着剤等で固定されたり、竿体に直接射出成型等されて固定されている。
【０００３】
そして、釣人はリールシートに取り付けたリールの脚部と共にリールシート及びグリップを把持してキャスティングやリトリーブ等の操作を行い、釣竿を把持する手が軸方向にずれたり周方向にずれたりするのを抑えつつ、魚を釣り上げる。
【０００４】
【発明が解決しようとする課題】
上述のように、従来の釣竿のグリップは竿体周面に直接接着された一定の径を有する円筒型の部材である。しかし、釣人によっては把持するグリップについて、把持する際の径がもう少し太径であることを望む場合や円筒型ではなく多少変形した形状を欲する場合もある。従来の釣竿のグリップは定型であり、このような個々の釣人の要求に十分に応えるものではなかった。
【０００５】
本発明の課題は、釣人の好みに応じて径や形状を変化させることが可能なグリップを有し把持しやすい釣竿を提供することにある。
【０００６】
【課題を解決するための手段】
発明１にかかる釣竿は、魚釣りに用いる釣竿であって、竿体と、竿体周面に挿通された略筒状の弾性グリップと、弾性グリップの穂先側または竿元側に隣接して軸方向に移動自在かつ任意の箇所に固定可能に竿体周面上に挿通された可動部材と、可動部材と軸方向反対側において弾性グリップに隣接して竿体周面に固定されたカラー部材とを備え、弾性グリップは複数であって互いに隣接して竿体周面に挿通されている。そして、一つの弾性グリップとこれに隣接する他の弾性グリップとの間には軸方向に移動自在に竿体周面に挿通されたリング部材をさらに備え、弾性グリップは、可動部材をカラー部材側に移動させ、可動部材とカラー部材とで軸方向に挟み込まれることで変形するものであることを特徴とする。
【０００７】
この釣竿を使用する際には、釣人は弾性グリップを把持して釣り操作を行う。そして、グリップを把持する調子を変えるべく径を変えまたは形状を変形させる場合には、可動部材を弾性グリップ側に移動させ、可動部材と竿体上に固定されたカラー部材とで弾性グリップを軸方向において挟み込んで変形させる。可動部材の位置を調整することで弾性グリップの変形程度を調整可能であり、釣人は自己の好みにあった形状に弾性グリップを変形させてこれを把持できることになる。
この場合にも、可動部材を弾性グリップ側に移動させ、可動部材と竿体上に固定されたカラー部材とで弾性グリップを軸方向において挟み込んで変形させる。ここでは、弾性部材が複数個隣接して存在しておりその間にリング部材が存在することで個々の弾性部材がそれぞれ変形する。このように、可動部材の位置を調整することで複数の弾性グリップそれぞれの変形程度を調整可能であり、さらに詳細に釣人は自己の好みにあった形状に弾性グリップを変形させてこれを把持できることになる。
【０００８】
発明２にかかる釣竿は、発明１の釣竿であって、竿体は弾性グリップの穂先側または竿元側周面に雄ねじ部を有し、可動部材は内周面に雄ねじ部に螺合する雌ねじ部を有するナット部材である。
【０００９】
この場合には、ナット部材の内周面の雄ねじ部を竿体の雌ねじ部に螺合させることで、ナット部材は竿体周面を軸方向に自在に移動しまた任意の箇所において固定できる。
【００１２】
【発明の実施の形態】
［第１実施形態］
以下、本発明の第１実施形態について、図面を参照しつつ説明する。
【００１３】
本発明の第１実施形態を採用した釣竿は、図１に示すように、複数の筒状部材が順次連結されて構成された竿体１と、竿体１上に一定の間隔を隔てつつ配置された複数の釣糸ガイド２と、竿体１の竿元側に配置されリール（図示せず）を脱着自在に装着可能なリールシート３と、リールシート３の竿元側の竿体１の周面に形成される竿元グリップ部４と、リールシート３の穂先側の竿体１の周面に形成される前グリップ５とを有している。
【００１４】
竿体１を構成する複数の部材は、それぞれ炭素繊維またはガラス繊維等の強化繊維に合成樹脂を含浸させたプリプレグをマンドレルに巻回し焼成して得られた先細り筒状部材である。それぞれの部材は、穂先側・竿元側端部にそれぞれ嵌合部と被嵌合部とを有し、いわゆる並継形式で順次穂先側の小径部材を穂先側に連結可能になっている。
【００１５】
リールシート３は、内部に竿体１が貫通して装着される合成樹脂または金属からなる変形筒状部材である。リールシート３は、リールの脚部の一端を係止するために竿元側に設けられた固定フードと、リールの脚部を載置するための載置部と、軸方向に移動自在に穂先側に設けられた移動フードとを有している。そして、このリールシート３では、移動フードの穂先側に隣接して周方向に移動自在に設けられたリールシートナットを回転させつつ軸方向に移動させて移動フードを竿元側に移動させ、固定フードと移動フードとでリールの脚部を挟み込みながらリールを竿体１に固定している。
【００１６】
図２に示すように、前グリップ５は、リールシート３の穂先側において竿体１の周面に固定されたカラー部材１２と、カラー部材１２の穂先側に隣接して竿体１周面に竿体１が挿通した状態で配置される円筒型の弾性グリップ１０と、弾性グリップ１０の穂先側の竿体１の周面に固定された雄ねじ部材１３と、雄ねじ部材１３に螺合するナット部材１１とを有している。
【００１７】
弾性グリップ１０は、EVA，ポリウレタン等の弾性を有する合成樹脂からなり、円筒型の部材である。弾性グリップ１０自体は竿体１に直接接着等によって固定されるものではなく竿体１が軸方向に挿通した状態である。この弾性グリップ１０の周面には複数の滑止用突起を形成してもよい。
【００１８】
カラー部材１２は弾性グリップ１０の竿元側に隣接して竿体１の周面に固定された部材である。穂先側端部には径外方向に張り出したフランジが形成されており、弾性グリップ１０の竿元側への移動を規制している。
【００１９】
ナット部材１１は内周面に雄ねじ部材１３に螺合する雌ねじ部を有した略円筒型部材である。竿元側ほどやや大径化しており竿元側端面は弾性グリップ１０の穂先側端面に当接する当接面となっている。このナット部材１１は周方向に回転することで竿体１の周面を軸方向に移動しかつ任意の位置で固定されることになる。
【００２０】
このように構成された釣竿を使用する際には、釣人は前グリップ５の弾性グリップ１０または竿元グリップ４とリールシート３に装着したリールの脚部付近とを把持して釣り操作を行うことになる。ここで、前グリップ５を把持する調子を変化させる場合には、図４に示すように、ナット部材１１を回転させて竿元側方向に移動させ、ナット部材１１とカラー部材１２とで弾性グリップ１０を軸方向において挟み込んで変形させる。このナット部材１１の位置を調整することで弾性グリップ１０の変形程度を調整可能であり、釣人は自己の好みにあった形状に弾性グリップ１０を変形させて前グリップ５を把持できる。
【００２１】
［第２実施形態］
以下、本発明の第１実施形態について、図面を参照しつつ説明する。
本発明の第２実施形態を採用した釣竿は、第１実施形態と同様に、複数の筒状部材が順次連結されて構成された竿体１と、前グリップ５とを有している。
【００２２】
図４に示すように、前グリップ５は、リールシートの穂先側において竿体１の周面に固定されたカラー部材１２と、カラー部材１２の穂先側に隣接して竿体１周面に竿体１が挿通した状態で配置される３つの円筒型の弾性グリップ２０〜２２と、弾性グリップ２０〜２２の穂先側の竿体１の周面に固定された雄ねじ部材１３と、雄ねじ部材１３に螺合するナット部材１１とを有している。
【００２３】
弾性グリップ２０〜２２は、第１実施形態と同様にEVA，ポリウレタン等の弾性を有する合成樹脂からなり、円筒型の部材である。そして、弾性グリップ２０〜２２の間にはリング部材２４，２５が軸方向に移動自在に移動竿体１の周面に配置されている。このリング部材２４，２５は径方向に一定の厚みを有する。そして、弾性グリップ２０〜２２の厚みと同様またはそれよりやや小径に形成される。また、軸方向にも一定の厚みを有するように形成してもよい。
【００２４】
その他、ナット部材１１及びカラー部材１２は第１実施形態と同様である。このように構成された釣竿を使用する際には、第１実施形態と同様に、釣人は前グリップ５の弾性グリップ１０または竿元グリップ４とリールシート３に装着したリールの脚部付近とを把持して釣り操作を行うことになる。ここで、前グリップ５を把持する調子を変化させる場合には、図５に示すように、ナット部材１１を回転させて竿元側方向に移動させ、ナット部材１１とカラー部材１２とで複数の弾性グリップ２０〜２２を軸方向において挟み込んで変形させる。ナット部材１１の位置を調整することで個々の弾性グリップ２０〜２２それぞれの変形程度を調整可能であり、さらに詳細に釣人は自己の好みにあった形状に前グリップ５を変形させてこれを把持できることになる。
【００２５】
［他の実施形態］
（ａ）図６に示すように、前グリップ５において、弾性グリップ３０〜３２の軸方向長さが異なるものを用いてもよい。このように弾性グリップの軸方向長さを異にすることで、前グリップ５の変形を複雑なものにすることも可能である。なお、弾性グリップの数の設定は任意である。
（ｂ）上記実施形態においては、前グリップ５について説明しているが、竿元グリップ４においても同様の構造を採用でき、前グリップ５及び竿元グリップ５の双方においてグリップ形状の調整を可能にしてもよい。
（ｃ）上記実施形態においては、前グリップ５の穂先側にナット部材１１が存在するものを例示しているが、竿元側にナット部材１１を配置し、穂先側にカラー部材１２を配置してもよい。
【００２６】
【発明の効果】
本発明にかかる釣竿は、釣人の好みに合わせてグリップを変形調整可能であり、把持しやすく釣り操作にも優れる。
【図面の簡単な説明】
【図１】本発明の第１実施形態を採用した釣竿の全体図。
【図２】図１の前グリップ５付近の拡大断面図。
【図３】図２の前グリップ５を変形させた図。
【図４】本発明の第２実施形態を採用した釣竿の図２に相当する図。
【図５】図３の前グリップ５を変形させた図。
【図６】本発明の他の実施形態を採用した前グリップ５を示した図。
【符号の説明】
１  竿体
３  リールシート
５  前グリップ
１１  ナット部材
１２  カラー部材
１０，２０〜２３  弾性グリップ
２４，２５  リング部材
【図１】
0004514307.tif 000002
【図２】
0004514307.tif 000003
【図３】
0004514307.tif 000004
【図４】
0004514307.tif 000005
【図５】
0004514307.tif 000006
【図６】
0004514307.tif 000007